(57)【要約】【課題】バッテリの充電状態に影響されることなく旋回性能を確保するに好適なハイブリッド車両の駆動力制御装置を提供する。【解決手段】左右輪５の駆動力を独立に制御できるハイブリッド車両の駆動力制御装置であり、車速を検出する車速検出手段１８と、前記車速検出手段１８で検出した車速とアクセルペダル１６開度とからドライバーの要求駆動力を決定する駆動力決定手段Ｂ２０と、ハンドル１７操舵角を検出する操舵角検出手段と、前記操舵角と前記車速とよりドライバーの旋回要求量を決定する旋回要求量決定手段Ｂ２２と、前記旋回要求量に応じて最大駆動力を制限する最大駆動力制限手段Ｂ２３〜Ｂ２６と、を備え、車速とアクセルペダル１７の開度とからドライバーの要求駆動力を決定し、ハンドル１７の操舵角と車速とからドライバーの旋回要求量を決定し、前記旋回要求量に応じて前記最大駆動力が制限するようにした。【選択図】図２
2008074328.tif 000002
【特許請求の範囲】
【請求項１】
左右輪の駆動力を独立に制御できるハイブリッド車両の駆動力制御装置において、
車速を検出する車速検出手段と、
前記車速検出手段で検出した車速とアクセルペダルの開度とからドライバーの要求駆動力を決定する駆動力決定手段と、
ハンドルの操舵角を検出する操舵角検出手段と、
前記操舵角検出手段よりの操舵角と前記車速検出手段よりの車速とよりドライバーの旋回要求量を決定する旋回要求量決定手段と、
前記旋回要求量に応じて最大駆動力を制限する最大駆動力制限手段と、を備えることを特徴としたハイブリッド車両の駆動力制御装置。
【請求項２】
エンジンに駆動されて電力を発電する発電装置と、前記発電装置よりの電力を蓄電する蓄電装置と、車両前後の少なくとも一方で対となった左右輪はエンジンの駆動力、若しくは前記発電装置および／または蓄電装置よりの電力により駆動される駆動モータの駆動力により駆動され、車両前後の少なくとも他方で対となった左右輪は、前記発電装置および／または蓄電装置よりの電力により駆動される一対の駆動モータにより左右で夫々独立して駆動可能であり且つその駆動力を独立に制御できるハイブリッド車両の駆動力制御装置において、
車速を検出する車速検出手段と、
前記車速検出手段で検出した車速とアクセルペダルの開度とからドライバーの要求駆動力を決定する駆動力決定手段と、
ハンドルの操舵角を検出する操舵角検出手段と、
前記操舵角検出手段よりの操舵角と前記車速検出手段よりの車速とよりドライバーの旋回要求量を決定する旋回要求量決定手段と、
前記旋回要求量に応じて最大駆動力を制限する最大駆動力制限手段と、を備えることを特徴としたハイブリッド車両の駆動力制御装置。
【請求項３】
前記最大駆動力制限手段は、旋回要求量が所定値以上になる場合に、最大駆動力を蓄電装置のエネルギを消費しないで実現できる範囲内に制限することを特徴とする請求項１または請求項２に記載のハイブリッド車両の駆動力制御装置。
【請求項４】
前記最大駆動力制限手段は、旋回要求量が所定値以上になる場合に、最大駆動力を駆動モータの連続定格以内に制限することを特徴とする請求項１から請求項３のいずれか一つに記載のハイブリッド車両の駆動力制御装置。
【請求項５】
前記最大駆動力制限手段は、旋回要求量が所定値未満の場合に、旋回要求量が大きくなるに従って最大駆動力の制限量を、旋回要求量が所定値以上の制限量まで次第に大きくすることを特徴とする請求項３または請求項４に記載のハイブリッド車両の駆動力制御装置。
【請求項６】
前記旋回要求量決定手段における旋回要求量は、車両に生じる横力、ヨーレート、すべり角のいずれかであることを特徴とする請求項１から請求項５のいずれか一つに記載のハイブリッド車両の駆動力制御装置。
【発明の詳細な説明】
【技術分野】
【０００１】
本発明は、左右駆動力差により車両の旋回性能を向上させるハイブリッド車両の駆動力制御装置に関するものである。
【背景技術】
【０００２】
従来から左右駆動力差により車両の旋回性能を向上させるハイブリッド車両の駆動装置が提案されている（特許文献１参照）。
【０００３】
これは、エンジンからの駆動力を各輪に伝達可能なハイブリッド自動車の駆動装置において、各輪のアクスルシャフトの中途にエンジンからの駆動力を個々に断接するクラッチを設けるとともに、各クラッチよりも下流側に各アクスルシャフトにそれぞれ接続されたモータを設けることにより、４輪各輪に伝達される駆動力を細かくコントロールして走破性や回頭性を向上させるようにしている。
【０００４】
また、エンジンの他に「モータ＋バッテリ」により定常的な駆動力をアシストし、１クラス上と同等の動力性能を実現するハイブリッドシステムも提案されている（非特許文献１参照）。
【特許文献１】特開特開２００２−３０１９３９号公報
【非特許文献１】「ＣＶＴと融合したハイブリッドシステムの開発」自動車技術会1999年秋季大会前刷集Ｎｏ．９９４１１２４（稲田英二、松尾勇也、久保則夫、岡田弘（日産自動車））
【発明の開示】
【発明が解決しようとする課題】
【０００５】
しかしながら、上記前者の従来例では、車両の運動性能を向上させる各輪の駆動力にはバッテリ電力を用いるものであるため、バッテリの充電状態の低下によっては運動性能のための電力が十分に供給できず、車両の走破性や回頭性が低下する場合がある。
【０００６】
また、上記後者の従来例では、定常的な駆動力をエンジンの他に「モータ＋バッテリ」でアシストするものであるため、バッテリの充電状態が低下するとモータ＋バッテリによるアシストが制限され、動力性能が低下する場合があった。
【０００７】
そこで本発明は、上記問題点に鑑みてなされたもので、バッテリの充電状態に影響されることなく旋回性能を確保するに好適なハイブリッド車両の駆動力制御装置を提供することを目的とする。
【課題を解決するための手段】
【０００８】
本発明は、左右輪の駆動力を独立に制御できるハイブリッド車両の駆動力制御装置において、車速を検出する車速検出手段と、前記車速検出手段で検出した車速とアクセルペダルの開度とからドライバーの要求駆動力を決定する駆動力決定手段と、ハンドルの操舵角を検出する操舵角検出手段と、前記操舵角検出手段よりの操舵角と前記車速検出手段よりの車速とよりドライバーの旋回要求量を決定する旋回要求量決定手段と、前記旋回要求量に応じて最大駆動力を制限する最大駆動力制限手段と、を備えることを特徴とする。
【発明の効果】
【０００９】
したがって、本発明では、車速とアクセルペダルの開度とから駆動力決定手段によりドライバーの要求駆動力を決定し、ハンドルの操舵角と車速とから旋回要求量決定手段によりドライバーの旋回要求量を決定し、最大駆動力制限手段により前記旋回要求量に応じて前記最大駆動力を制限するため、旋回要求量が大きくなるに従い、蓄電装置等のシステムの状態変化に伴う最大駆動力変化を小さくすることができる。
【発明を実施するための最良の形態】
【００１０】
以下、本発明のハイブリッド車両の駆動制御装置を一実施形態に基づいて説明する。図１は本発明を適用したハイブリッド車両の駆動制御装置のシステム構成図、図２はハイブリッド車両の駆動制御装置の制御ブロック図である。
【００１１】
図１において、ハイブリッド車両の駆動力制御装置は、エンジン１の出力により、トルクコンバータ７、無段変速機８、ファイナルギヤ２１を経由させて前輪９を駆動し、駆動モータ３、４の出力により夫々左右後輪５を駆動するパラレルハイブリッド車両をベースとした後輪左右独立制御式の四輪駆動システムを構成している。
【００１２】
前記エンジン１には発電モータ２が直結され、発電モータ２によりエンジン１の出力の一部を電力に変換し、蓄電装置６に供給する一方、駆動モータ３、４にも供給し、蓄電装置６への蓄電および駆動モータ３、４の駆動に供される。駆動モータ３、４は蓄電装置６の電力によっても駆動することができる。
【００１３】
前記エンジン１は、統合コントローラ１０から出力されるエンジントルク指令値に基づき、エンジンコントローラ１１によりスロットル開度および燃料噴射量が制御されてそのトルクが制御される。前記エンジン１の回転速度は図示しない回転数センサにより検出され、エンジンコントローラ１１に出力されてエンジン制御に利用される一方、統合コントローラ１０にも出力される。
【００１４】
前記駆動モータ３、４および発電モータ２のトルクは、統合コントローラ１０から出力されるトルク指令値に基づき、それぞれ駆動モータコントローラ１３および発電機コントローラ１２により夫々のトルクがベクトル制御される。
【００１５】
前記蓄電装置６の電圧・電流は図示しない電圧センサ・電流センサで検出され、蓄電装置コントローラ１４によりそのＳＯＣおよび充放電可能電力が演算され、演算されたＳＯＣ演算値および充放電可能電力値は統合コントローラ１０に出力される。
【００１６】
前記無段変速機８は、統合コントローラ１０から出力される変速比指令値に基づき、ＣＶＴコントローラ１５により変速比が制御される。
【００１７】
前記ハンドル１７はメカニカルな機構（メカニカルリンク）により前輪９に接続され、ハンドル１７の操舵角に応じて、前輪９の舵角が決定される。
【００１８】
前記統合コントローラ１０には、アクセルペダル１６の踏み込み位置（ＡＰＳ）を検出するアクセル開度センサよりのアクセル開度信号（ＡＰＳ）と、車速を検出する車速センサ１８よりの車速信号と、ハンドル１７の操舵角を検出する操舵角センサよりの操舵角信号が入力される。
【００１９】
図２に示す制御ブロック図は、前記統合コントローラ１０により一定時間（例えば１０ｍｓｅｃ）毎に実行される演算制御フローを示すものである。以下では、前記統合コントローラ１０により実行される演算制御フローを図２に基づいて説明する。
【００２０】
駆動力決定部Ｂ２０は、車両の走行状態を示すアクセルペダル１６で検出したアクセル操作量ＡＰＳと車速センサ１８よりの車速とに基づき、所定のマップを参照して目標駆動力Ｔｄ［Ｎ］を演算する。目標駆動力Ｔｄは車両の駆動輪が路面に伝える力の目標値である。ここで使用するマップは、エンジン１の定格出力より大きい定格出力のモータを最大出力まで使い切ることを前提に作られている。駆動力決定部Ｂ２０は駆動力決定手段を構成する。
【００２１】
旋回要求量決定部Ｂ２２は、車両の走行状態を示す車速センサ１８の車速とハンドル１７の操舵角とに基づき、所定のマップを参照して目標横力ｔＹを演算する。ここで使用するマップは左右方向への複数の操舵角をパラメータとして車速を変化させた場合の車両に生ずる横力変化を記憶させたものである。この場合、ハンドル１７の操舵角および得られる横力は、例えば、反時計回りを正とし、時計回りを負とする。
【００２２】
制限係数演算部Ｂ２３は、目標横力ｔＹの絶対値|ｔＹ|に応じて、所定のマップを参照して駆動力の制限係数を演算して求める。ここで使用するマップは、図３に示すように、横力ｔＹの絶対値が所定値ａに到達するまでは制限係数を駆動力制限を一切しない「０」から横力ｔＹの増加に比例して増加させ、所定値ａにおいて駆動力制限係数が最大となる「１」とし、所定値ａを超える領域においては最大の制限係数「１」に維持される構成としている。
【００２３】
最大駆動力制限部Ｂ２４は、エンジン１の出力に「モータ＋バッテリ」でのアシスト力を加算した最大駆動力特性（駆動力決定部Ｂ２０においてアクセル１６の操作量を最大とした場合における駆動力特性）を基準として、その特性から前記制限係数演算部Ｂ２３で得られた駆動力の制限係数に所定の駆動力を乗算した駆動力制限量を減算し、その横力ｔＹに対応した車両の最大駆動力Ｔｄmaxを演算する。この最大駆動力Ｔｄｍａｘは、車両が直進状態にある場合には、目標横力ｔＹ、制限係数が共に「０」であり、駆動力制限量も「０」であるため、前記した最大駆動力特性に基づいて出力される。しかしながら、ハンドル１７が操舵されると、その操舵角とその時点の車速とに基づく目標横力ｔＹが演算され、それに応じて制限係数も増加するため、目標横力ｔＹに応じた駆動力制限量だけ最大駆動力特性から減算されて出力される。そして、制限係数演算部Ｂ２３よりの駆動力の制限係数が最大の「１」に達した場合には、最大駆動力Ｔｄｍａｘはエンジン１により発生させることのできる最大の駆動力まで制限されて出力される。
【００２４】
左右駆動力差演算Ｂ２５は、目標横力ｔＹに基づいて、左右後輪５の駆動モータ３、４の駆動力差を演算する。この駆動力差は車両進行方向に対して反時計回りを正としているため、目標横力ｔＹが正である場合には目標横力ｔＹに比例した正の値の指令値を出力し、目標横力ｔＹが負である場合には目標横力ｔＹに比例した負の値の指令値を出力する。
【００２５】
前記指令値は、右駆動モータトルク指令値としてそのまま駆動モータコントローラ１３に出力され、符号変換ブロック４０を経由させて左駆動モータトルク指令値として駆動モータコントローラ１３に出力される。駆動モータコントローラ１３では、左右後輪５のいずれか旋回外輪側の駆動モータ３または４は車両進行方向に加速するよう駆動し、いずれか旋回内輪側の駆動モータ４または３は車両を減速させるよう駆動するよう、駆動モータ３、４のトルクを制御する。即ち、目標横力ｔＹを実現するように、駆動モータ３、４で、それぞれ絶対値が等しく、向きの違う駆動力（和が）が出力される構成としている。
【００２６】
前記左駆動モータトルク指令値および右駆動モータトルク指令値は、実線のように、横力ｔＹの増加に比例して増大させるようにしてもよいが、破線で示すように、左右駆動モータ３、４の連続定格以内の値に制限することが、駆動モータ３、４自身の温度上昇・性能低下等による駆動モータ３、４の出力制限を発生させないことから、望ましい。
【００２７】
駆動力制限部Ｂ２６は、最大駆動力制限部Ｂ２４よりの最大駆動力Ｔｄｍａｘと駆動力決定部Ｂ２０よりの目標駆動力Ｔｄのいずれか低い値の駆動力を目標駆動力として出力する。したがって、車両が直進状態にある場合には、最大駆動力制限部Ｂ２４よりの最大駆動力Ｔｄｍａｘとして最大駆動力特性が出力されることから、駆動力決定部Ｂ２０で設定した目標駆動力Ｔｄが出力される。しかしながら、ハンドル１７が操舵されると、その操舵角とその時点の車速とに基づく目標横力ｔＹが演算され、それに応じて制限係数が増加し、最大駆動力制限部Ｂ２４よりの最大駆動力Ｔｄｍａｘとして最大駆動力特性から駆動力制限量だけ減算された信号が出力されることから、駆動力決定部Ｂ２０で設定した目標駆動力Ｔｄが最大駆動力Ｔｄｍａｘを超える場合には、最大駆動力Ｔｄｍａｘが目標駆動力として出力される。そして、ハンドル１７の操舵に関連して目標横力ｔＹが所定値ａを超える場合には、最大駆動力Ｔｄｍａｘはエンジン１で出力しうるフルパワーまで低下されることから、駆動力決定部Ｂ２０で設定した目標駆動力Ｔｄはエンジン１で出力しえる範囲内に制限される。
【００２８】
前記駆動力制限部Ｂ２６から出力された目標駆動力は、乗算器２７において、例えば車速信号から求めた車軸回転速度が乗算されて目標駆動仕事率Ｐｄに変換され、加算器３１において、発電機仕事率Ｐｇが加算されてエンジン仕事率Ｐｅに変換され、目標エンジン回転速度演算部Ｂ３３および除算器３２に入力される。
【００２９】
前記発電機仕事率Ｐｇは、蓄電装置コントローラ１４より入力された蓄電装置６の充電状態ＳＯＣと目標ＳＯＣとが入力される加減算器２９によりその差分が演算され、その差分値に常数器３０による常数を乗算させて求められる。この発電機仕事率Ｐｇは除算器３５において発電機回転速度（エンジン回転速度）で除算されて発電機トルク指令値Ｔｇとして発電機コントローラ１２に出力される。発電機コントローラ１２は発電機トルク指令値Ｔｇに基づいて発電モータ２のベクトルを制御する。
【００３０】
前記目標エンジン回転速度演算部Ｂ３３では、入力されたエンジン仕事率Ｐｅに対して、最も燃料消費率の少ない動作点（トルクと回転速度）を記憶したマップを参照して、目標エンジン回転速度Ｎｅが求められ、目標エンジン回転速度Ｎｅは除算器３４に入力され、車軸回転速度で除算されて変速比指令値Ｒｃｖｔに変換されて無段変速機コントローラ１５に出力される。無段変速機コントローラ１５は変速比指令値Ｒｃｖｔに基づいて無段変速機８の変速比を制御する。
【００３１】
除算器３２に入力されたエンジン仕事率Ｐｅはエンジン回転速度Ｎｅにより除算されてエンジントルク指令値Ｔｓに変換されてエンジンコントローラ１１に出力される。エンジンコントローラ１１は入力されたエンジントルク指令Ｔｓに基づいてエンジン１のトルクを制御する。
【００３２】
以上の構成になるハイブリッド車両の駆動力分配装置の動作について以下に説明する。
【００３３】
車両が直進状態にある場合には、前記したように、最大駆動力制限部Ｂ２４よりの最大駆動力Ｔｄｍａｘとして最大駆動力特性が出力される。このため、駆動力決定部Ｂ２０で設定した目標駆動力Ｔｄが駆動力制限部Ｂ２６で選択され、この目標駆動力Ｔｄに基づき目標駆動仕事率Ｐｄが演算され、発電機仕事率Ｐｇが加算されてエンジン仕事率Ｐｅが演算され、このエンジン仕事率Ｐｅに基づいて、エンジントルク指令値Ｔｓ、変速比指令値Ｒｃｖｔが設定される。
【００３４】
このため、エンジン１により発生した駆動力から発電モータ２を駆動する駆動力を差引いた範囲内において、駆動力決定部Ｂ２０で設定したアクセルペダル開度と車速とに応じた要求駆動力Ｔｄに対応する駆動力により前輪９を駆動して車両を走行させる。前記発電モータ２を駆動する駆動力は、蓄電装置コントローラ１４よりの充電状態ＳＯＣと目標充電状態ＳＯＣとの差分に応じた発電機トルク指令値Ｔｇに基づいて発生される。左右後輪５は駆動モータ３、４より駆動されずに空転状態となっている。
【００３５】
ハンドル１７が操舵されると、その操舵角とその時点の車速とに基づく目標横力ｔＹが旋回要求量決定部Ｂ２２演算され、それに応じて制限係数演算部Ｂ２３の制限係数も上昇し、最大駆動力制限部Ｂ２４は最大駆動力特性から駆動力制限量だけ減算させた最大駆動力Ｔｄｍａｘが出力される。駆動力制限部Ｂ２６では駆動力決定部Ｂ２０で設定した目標駆動力Ｔｄが最大駆動力制限部Ｂ２４から出力された最大駆動力Ｔｄｍａｘの範囲内にある場合には、目標駆動力Ｔｄを目標駆動力として出力し、駆動力決定部Ｂ２０で設定した目標駆動力Ｔｄが最大駆動力制限部Ｂ２４から出力された最大駆動力Ｔｄｍａｘを超えている場合には最大駆動力Ｔｄｍａｘを目標駆動力として出力する。目標駆動力（「Ｔｄ」若しくは「Ｔｄｍａｘ」）は目標駆動仕事率Ｐｄに変換され、発電機仕事率Ｐｇと加算されてエンジン仕事率Ｐｅに変換され、このエンジン仕事率Ｐｅに基づいて、エンジントルク指令値Ｔｓ、変速比指令値Ｒｃｖｔが設定される。
【００３６】
一方、目標横力ｔＹに応じて左右駆動力差演算部Ｂ２５より発生される左駆動モータ指令値および右駆動モータ指令値に基づいて駆動モータコントローラ１３は、図４に示すように、左後輪５および右後輪５に対して、旋回外輪側の後輪５の駆動モータ３または４を車両進行方向に加速するよう駆動し、いずれか旋回内輪側の後輪５の駆動モータ４または３を車両を減速させるよう駆動するよう、駆動モータ３、４のトルクを制御する。即ち、目標横力ｔＹを実現するように、駆動モータ３、４で、それぞれ絶対値が等しく、向きの違う駆動力（和が）が出力される。駆動モータ３、４の駆動に消費される電力は蓄電装置６から供給され、蓄電装置６の充電状態ＳＯＣと目標充電状態ＳＯＣとの差分に応じて発電機仕事率Ｐｇが変化し、発電機トルク指令値Ｔｇおよびエンジン仕事率Ｐｅを変化させる。このため、旋回要求量が所定値ａ未満の領域では、駆動モータ３、４で消費する電力は蓄電装置６および／または発電モータ２から供給することができ、「モータ＋バッテリによるアシスト」を有効に活用することができる。
【００３７】
ハンドル１７による操舵角の増加および／または車速の上昇により旋回要求量決定部Ｂ２２で出力される目標横力ｔＹが所定値ａを超えて増加された場合においては、制限係数演算部Ｂ２３の制限係数は最大値の「１」設定され、最大駆動力制限部Ｂ２４で最大駆動力特性から減算する駆動力制限量が最大となり、図５に示すように、最大駆動力Ｔｄｍａｘは最小に設定されたエンジン１で出力しうる最大出力とされる。駆動力制限部Ｂ２６では駆動力決定部Ｂ２０で設定した目標駆動力Ｔｄが最大駆動力制限部Ｂ２４から出力された最大駆動力Ｔｄｍａｘの範囲内にある場合には、目標駆動力Ｔｄを目標駆動力として出力し、駆動力決定部Ｂ２０で設定した目標駆動力Ｔｄが最大駆動力制限部Ｂ２４から出力された最大駆動力Ｔｄｍａｘを超えている場合には最大駆動力Ｔｄｍａｘを目標駆動力として出力する。目標駆動力（「Ｔｄ」若しくは「Ｔｄｍａｘ」）は目標駆動仕事率Ｐｄに変換され、発電機仕事率Ｐｇと加算されてエンジン仕事率Ｐｅに変換され、このエンジン仕事率Ｐｅに基づいて、エンジントルク指令値Ｔｓ、変速比指令値Ｒｃｖｔが設定される。
【００３８】
一方、前記目標横力ｔＹの所定値ａを超えての増加は、左右駆動力差演算部Ｂ２５から出力される左駆動モータ指令値および右駆動モータ指令値を増加させ、駆動モータコントローラ１３は、左後輪５および右後輪５に対して、旋回外輪側の後輪５の駆動モータ３または４を車両進行方向に加速する駆動トルクを高める一方、いずれか旋回内輪側の後輪５の駆動モータ４または３を車両を減速させる駆動トルクを高め、増加する目標横力ｔＹを実現するよう駆動モータ３、４のトルクを制御する。したがって、ハンドル１７の操舵による旋回要求量に対応した車両の旋回性能が確保される。
【００３９】
前記左駆動モータ指令値および右駆動モータ指令値が、左右駆動モータ３、４の連続定格以内の値に制限される場合には、駆動モータコントローラ１３は、左後輪５および右後輪５に対して、旋回外輪側の後輪５の駆動モータ３または４を車両進行方向に加速する駆動トルク、および、いずれか旋回内輪側の後輪５の駆動モータ４または３を車両を減速させる駆動トルクの増加は、連続定格以下に制限された範囲で、増加する目標横力ｔＹを実現するよう駆動モータ３、４のトルクを制御する。
【００４０】
前記駆動モータ３、４の駆動に消費される電力は蓄電装置６から供給され、蓄電装置６の充電状態ＳＯＣと目標充電状態ＳＯＣとの差分に応じて発電機仕事率Ｐｇが変化し、発電機トルク指令値Ｔｇおよびエンジン仕事率Ｐｅを変化させる。このため、駆動モータ３、４で消費する電力の全てはエンジン１の発電機仕事率Ｐｇに対応した駆動力分により発電モータ２で発電した電力でまかない、蓄電装置６の電力は一切使わない状態とできる。したがって、ハンドル１７の操舵に基づく旋回要求要求量が大きくなっても、蓄電装置６の充電状態ＳＯＣ等の状態変化が車両の旋回性能に与える影響を小さくすることができる。
【００４１】
そして、前記最大駆動力Ｔｄｍａｘに基づく制限により、無段変速機８を経由させて前輪９を駆動するために用いられるエンジン１からの駆動力分はエンジン仕事率Ｐｅに基づくエンジントルク指令値Ｔｓから発電機仕事率Ｐｇに基づく発電機トルク指令値Ｔｇを差引いた駆動力の範囲内で設定されることとなる。即ち、車両の前輪９と後輪５との駆動力の総和は、前記最大駆動力Ｔｄｍａｘにより制限されて、蓄電装置６の充電状態ＳＯＣの状態変化に影響を受けることがない。
【００４２】
なお、上記実施形態において、旋回要求量決定部Ｂ２２における旋回要求量の指標として、車速と操舵角による目標横力ｔＹを用いるものについて説明したが、図示はしないが、横力ｔＹの代わりにヨーレート若しくはすべり角を旋回要求量決定部Ｂ２２で求めるものであってもよい。横力ｔＹの代わりにヨーレート若しくはすべり角を旋回要求量の指標とする場合には、車速等の影響を受けず、同じ車両挙動パラメータで最大駆動力を制限することができる。
【００４３】
また、上記実施形態において、前輪９の駆動機構として、無段変速機８を介在させてエンジン１により駆動するものについて説明したが、図示はしないが、四輪全てが独立した駆動モータで駆動され、それに必要な電力を発電装置と蓄電装置から供給するシリーズハイブリッド車両であってもよい。その場合には、横力・ヨーレート・すべり角等の旋回要求量が所定値を越える範囲では、最大駆動力は全駆動モータで消費する電力の全てを発電装置だけでまかなえる範囲に制限して、蓄電装置の電力は一切使わないようにすることができる。また、横力・ヨーレート・すべり角等の旋回要求量が所定値を越える範囲では、全駆動モータのトルク指令値が連続定格以内となるように設定することが望ましい。
【００４４】
本実施形態においては、以下に記載する効果を奏することができる。
【００４５】
（ア）左右輪５の駆動力を独立に制御できるハイブリッド車両の駆動力制御装置において、車速を検出する車速検出手段１８と、前記車速検出手段１８で検出した車速とアクセルペダル１６の開度とからドライバーの要求駆動力を決定する駆動力決定手段Ｂ２０と、ハンドル１７の操舵角を検出する操舵角検出手段と、前記操舵角検出手段よりの操舵角と前記車速検出手段１８よりの車速とよりドライバーの旋回要求量を決定する旋回要求量決定手段Ｂ２２と、前記旋回要求量に応じて最大駆動力を制限する最大駆動力制限手段Ｂ２３〜Ｂ２６と、を備える。このため、車速とアクセルペダル１７の開度とからドライバーの要求駆動力を決定し、ハンドル１７の操舵角と車速とからドライバーの旋回要求量を決定し、前記旋回要求量に応じて前記最大駆動力が制限されて、旋回要求量が大きくなるに従い、蓄電装置６等のシステムの状態変化に伴う最大駆動力変化を小さくすることができる。
【００４６】
（イ）最大駆動力制限手段Ｂ２３〜Ｂ２６は、旋回要求量が所定値以上になる場合に、最大駆動力を蓄電装置６のエネルギを消費しないで実現できる範囲内に制限することにより、蓄電装置６の状態変化に伴う最大駆動力変化を無くすことができる。
【００４７】
（ウ）最大駆動力制限手段Ｂ２３〜Ｂ２６は、旋回要求量が所定値以上になる場合に、最大駆動力を駆動モータ３、４の連続定格以内に制限することにより、駆動モータ３、４の出力制限による最大駆動力変化を無くすことができる。
【００４８】
（エ）最大駆動力制限手段Ｂ２３〜Ｂ２６は、旋回要求量が所定値未満の場合に、旋回要求量が大きくなるに従って最大駆動力の制限量を、旋回要求量が所定値以上の制限量まで次第に大きくすることにより、旋回要求量が所定値未満では、「モータ＋バッテリ」によるアシストを有効に活用することができる。
【００４９】
（オ）前記旋回要求量決定手段Ｂ２２における旋回要求量は、車両に生じる横力、ヨーレート、すべり角のいずれかであることにより、車速等の影響を受けず、同じ車両挙動パラメータで最大駆動力を制限することができる。
【図面の簡単な説明】
【００５０】
【図１】本発明の一実施形態を示すハイブリッド車両の駆動力制御装置のシステム構成図。
【図２】同じく統合コントローラによる制御ブロック図。
【図３】制限係数演算部における制限係数マップを説明する説明図。
【図４】操舵時における各輪の駆動状態を説明する説明図。
【図５】旋回要求量が所定値を超えた場合における駆動力配分状態を説明する説明図。
【符号の説明】
【００５１】
１  エンジン
２  発電モータ
３、４  駆動モータ
５  左右後輪
６  蓄電装置
７  トルクコンバータ
８  無段変速機
９  前輪
１０  統合コントローラ
１１  エンジンコントローラ
１２  発電機コントローラ
１３  駆動モータコントローラ
１４  蓄電装置コントローラ
１５  変速機コントローラ
１６  アクセルペダル
１７  ハンドル
１８  車速センサ
【図１】
2008074328.tif 000003
【図２】
2008074328.tif 000004
【図３】
2008074328.tif 000005
【図４】
2008074328.tif 000006
【図５】
2008074328.tif 000007